(57)【要約】【課題】荷物の大きさに応じて、収納容積を段階的に変えることが可能なかばんを提供する。【解決手段】かばん１は、袋状に形成されたポケット３と、筒状に形成されると共にポケット３の内方に収納されたかばん本体５と、を備えている。かばん本体５の下部は、折り畳み可能な高さ可変部１９と、高さ可変部１９の下側に配置されてポケット３の底部１７に結合される本体側結合部２１と、からなる。かばん本体５は、高さ可変部１９が折り畳まれてポケット３の内方に収納可能に構成されている。かばん本体５をポケット３から上側に引き出したときに、高さ可変部１９が折り畳み状態から伸び状態になる。【選択図】図５
2018175215.tif 000002
【特許請求の範囲】
【請求項１】
袋状に形成されたポケットと、筒状または袋状に形成されると共に前記ポケットの内方に収納されたかばん本体と、を備え、
前記かばん本体の下部は、折り畳み可能な高さ可変部と、前記高さ可変部の下側に配置されて前記ポケットの底部に結合される本体側結合部と、からなるかばんであって、
前記かばん本体は、前記高さ可変部が折り畳まれて前記ポケットの内方に収納可能に構成されており、
前記かばん本体をポケットから上側に引き出したときに、前記高さ可変部が折り畳み状態から伸び状態になるように構成したことを特徴とするかばん。
【請求項２】
請求項１に記載のかばんであって、
前記ポケットには係合部材が設けられ、前記かばん本体には、前記ポケットの係合部材と係合する被係合部材が設けられており、
前記かばん本体をポケットの内方に収容したときには、前記ポケットの係合部材とかばん本体の被係合部材とが互いに係合することにより、前記かばん本体がポケットに保持されるように構成したことを特徴とするかばん。
【請求項３】
請求項１または２に記載のかばんであって、
前記ポケットには、取っ手となる開口部が形成され、
前記かばん本体には、ハンドルが取り付けられており、
前記かばん本体をポケットの内方に収納したときに、前記かばん本体のハンドルが前記ポケットの開口部から抜け出るように構成したことを特徴とするかばん。
【発明の詳細な説明】
【技術分野】
【０００１】
本発明は、荷物等の収納容積を段階的に変えることが可能なかばんに関する。
【背景技術】
【０００２】
従来から、荷物等を収納して搬送する際にかばんが広く用いられている（特許文献１参照）。
【０００３】
この特許文献１に記載されたように、通常のかばんは、一定の大きさの袋状体に形成されており、上部の開口部から荷物等をかばんの内部に入れる構造になっている。
【先行技術文献】
【特許文献】
【０００４】
【特許文献１】特開２００７−１８１６１２号公報
【発明の概要】
【発明が解決しようとする課題】
【０００５】
しかし、従来構造のかばんでは、収納容積が一定であるため、収納する荷物の大きさに対応して、複数種類の大きさのかばんを準備する必要があった。
【０００６】
そこで、本発明は、荷物の大きさに応じて、収納容積を段階的に変えることが可能なかばんを提供することを目的としている。
【課題を解決するための手段】
【０００７】
本発明に係るかばんは、袋状に形成されたポケットと、筒状または袋状に形成されると共に前記ポケットの内方に収納されたかばん本体と、を備える。前記かばん本体の下部は、折り畳み可能な高さ可変部と、前記高さ可変部の下側に配置されて前記ポケットの底部に結合される本体側結合部と、からなる。前記かばん本体は、前記高さ可変部が折り畳まれて前記ポケットの内方に収納可能に構成されており、前記かばん本体をポケットから上側に引き出したときに、前記高さ可変部が折り畳み状態から伸び状態になるように構成した。
【発明の効果】
【０００８】
本発明に係るかばんによれば、一つのかばんで収納容積を段階的に変えることができるため、収納対象物の大きさに応じて複数のかばんを準備する必要がなくなる。
【図面の簡単な説明】
【０００９】
【図１】本発明の第１実施形態に係るかばんの斜視図であり、一部を断面で示している。
【図２】図１におけるポケットの斜視図である。
【図３】図１におけるかばん本体の斜視図である。
【図４】図１のかばんの斜視図であり、かばん本体をポケットから上側に引き出した状態を示している。
【図５】図１のかばんの要部を示す断面図であり、（ａ）はかばん本体をポケットの内方に収容した状態を示しており、（ｂ）はかばん本体をポケットから引き出している途中の状態を示しており、（ｃ）はかばん本体をポケットから引き出し終わった状態を示している。
【図６】本発明の第１実施形態の変形例に係るかばんの要部の断面図である。
【図７】本発明の第２実施形態に係るかばんの斜視図である。
【図８】図７におけるポケットとかばん本体との係合部分を拡大した斜視図である。
【図９】図７のかばんの斜視図であり、かばん本体をポケットから上側に引き出した状態を示している。
【図１０】本発明の第３実施形態に係るかばんの正面図である。
【図１１】図１０のかばんについて、かばん本体からポケットを引き出した後にポケットを裏返した状態を示す斜視図である。
【図１２】図１０のかばんの正面図であり、かばん本体のハンドルをポケットの開口部から抜き出した状態を示している。
【図１３】図１０のかばんの正面図であり、かばん本体をポケットから上側に引き出した状態を示している。
【発明を実施するための形態】
【００１０】
以下、本発明の実施の形態を図面に基づき説明する。
[第１実施形態]
【００１１】
まず、第１実施形態に係るかばんについて説明する。
図１に示すように、第１実施形態に係るかばん１は、外側のポケット３と内側のかばん本体５とを備えている。
【００１２】
図１，２に示すように、ポケット３は、上側から見た平面視が矩形状の底壁面７と、底壁面７の外周縁９で屈曲して上方へ延在する縦壁面１１と、縦壁面１１の上端部に取り付けられたナスカン１３（係合部材）と、から形成されている。ポケット３の上端１５を上から見ると楕円状に形成されている。このように、ポケット３は、上側が開口すると共に下側が底壁面７で封止された袋状に形成されている。なお、ポケット３における底部１７は、図５（ａ）に示すように、底壁面７と、底壁面７の外周縁９から縦壁面１１の高さ方向中央部近傍までの部位と、からなる。
【００１３】
図１、図３および図５（ａ）に示すように、第１実施形態に係るかばん本体５は、筒状に形成されると共にポケット３の内方（内周側）に収容配置されており、上部にハンドル６を有する。また、かばん本体５の下部は、折り畳み可能な高さ可変部１９と、高さ可変部１９の下側に配置されてポケット３の縦壁面１１の下端部に結合される本体側結合部２１と、から構成される。
【００１４】
具体的には、図３の一点鎖線に示すように、かばん本体５の下端部分が全周に亘って本体側結合部２１に設定されている。この本体側結合部２１は、図５（ａ）に示すようにポケット３の縦壁面１１の下端部に縫合（縫合糸は図示省略）によって結合されている。そして、図３および図５（ａ）に示すように、かばん本体５の本体側結合部２１の上端から第１折り返し部２３および第２折り返し部２５を介して、かばん本体５を折り畳んだ状態におけるかばん本体５の高さ方向中央部近傍までの範囲が高さ可変部１９に形成されている。即ち、第１実施形態に係る高さ可変部１９は、かばん本体５の本体側結合部２１の上端から上方に向けて第１折り返し部２３まで延在する第１折り畳み部２７と、第１折り返し部２３で折り返されて下方に向けて第２折り返し部２５まで延在する第２折り畳み部２９と、第２折り返し部２５で折り返されて上方に向けてかばん本体５の高さ方向中央部近傍まで延在する第３折り畳み部３１と、から構成されている。このように、かばん本体５は、可とう性を有する高さ可変部１９が折り畳み可能に形成され、通常時には、三重に折り畳まれてポケット３の内方に収容されている。なお、図３に示すように、かばん本体５の上端部の前後には、それぞれ帯状体３３が縫合されており、帯状体３３にはＤカン３５（被係合部材）が支持されている。これらのＤカン３５は、ポケット３のナスカン１３に係合される。さらに、かばん本体５の上端８は、ポケット３の上端１５よりも上側に配置され、下端１０はポケット３の底壁面７に当接している。
【００１５】
次いで、かばん本体５をポケット３から上側に引き出す手順を簡単に説明する。
まず、図１および図５（ａ）の状態では、かばん本体５がポケット３の内方に収納されており、高さ可変部１９も三重に折り畳まれている。即ち、かばん本体５がポケット３の内方に収納されているときには、高さ可変部１９が折り畳み状態になっている。
【００１６】
次に、図５（ｂ）に示すように、かばん本体５をポケット３から引き出している途中の状態では、第１折り畳み部２７は変化がなく、第２折り畳み部２９の高さ寸法が短くなり、第３折り畳み部３１の高さ寸法が長くなる。従って、第１折り返し部２３の高さ位置は図５（ａ）と同一であり、第２折り返し部２５の高さ位置は図５（ａ）よりも高い位置に変化している。この状態では、まだ高さ可変部１９が折り畳み状態である。
【００１７】
そして、図５（ｃ）に示すように、かばん本体５をポケット３から上側に引き出したときには、高さ可変部１９が折り畳み状態から伸び状態になっている。このとき、第１折り返し部２３および第２折り返し部２５は消失して形成されていない。
【００１８】
以下に、第１実施形態による作用効果を説明する。
（１）第１実施形態に係るかばん１は、袋状に形成されたポケット３と、筒状に形成されると共にポケット３の内方に収納されたかばん本体５と、を備えている。かばん本体５の下部は、折り畳み可能な高さ可変部１９と、高さ可変部１９の下側に配置されてポケット３の底部１７に結合される本体側結合部２１と、からなる。かばん本体５は、高さ可変部１９が折り畳まれてポケット３の内方に収納可能に構成されている。かばん本体５をポケット３から上側に引き出したときに、高さ可変部１９が折り畳み状態から伸び状態になる。
【００１９】
このように、かばん本体５は、高さ可変部１９が折り畳まれてポケット３の内方に収納可能に構成されるとともに、かばん本体５をポケット３から上側に引き出したときに、高さ可変部１９が折り畳み状態から伸び状態になる。
【００２０】
従って、一つのかばんで収納容積を段階的に変えることができるため、収納対象物の大きさに応じて複数のかばんを準備する必要がなくなる。また、例えば、買い物に出かけた際に、購入する収納対象物が想定以上に大きかった場合でも、かばん本体５をポケット３から上側に引き出して収納容積を拡大して収納させることができる。
【００２１】
さらに、高さ可変部１９の高さ方向の長さを変えることにより、かばん本体５をポケット３から上側に引き出した際のかばん１の収納容積を適宜に調整することができる。
【００２２】
（２）ポケット３の上端部にはナスカン１３（係合部材）が設けられ、かばん本体５の上端部には、ポケット３のナスカン１３と係合するＤカン３５（被係合部材）が設けられている。かばん本体５をポケット３の内方に収納したときには、ポケット３のナスカン１３とかばん本体５のＤカン３５とを互いに係合させることにより、かばん本体５がポケット３に保持される。
【００２３】
従って、かばん本体５をポケット３の内方に収納し、かばん本体５のハンドル６を持っても、かばん本体５がポケット３から引き出されることがない。
【００２４】
[第１実施形態の変形例]
次に、第１実施形態の変形例について説明するが、前述した第１実施形態と同一構造の部位には同一符号を付けて説明を省略する。
【００２５】
第１実施形態では、図５（ａ）に示すように、かばん本体５の本体側結合部２１はポケット３の縦壁面１１の下端に結合されている。しかし、本発明では、かばん本体５の本体側結合部２１をポケット３の底部に結合すればよい。従って、図６の変形例に係るかばん１０１に示すように、ポケット３の縦壁面１１の高さ方向中間部に、かばん本体５の本体側結合部２１を結合させてもよい。
【００２６】
以下に、作用効果を説明する。
当該変形例では、ポケット３の縦壁面１１の高さ方向中間部に、かばん本体５の本体側結合部２１を結合させている。このように、縦壁面１１の高さ方向中間部の方が縦壁面１１の下端よりも下側に余裕スペースがあるため、本体側結合部２１を縫合等で結合させる際の作業性が向上する。
【００２７】
[第２実施形態]
次に、第２実施形態について説明するが、前述した第１実施形態と同一構造の部位には同一符号を付けて説明を省略する。
【００２８】
第１実施形態のかばん１は、常に上部が開口している形態である。これに対して図７〜９に示すように、第２実施形態のかばん２０１では、かばん本体５は通常時には上部がファスナー２０３で閉じられおり、荷物等を収納するときにのみファスナー２０３を開けて開口させる。
【００２９】
図７，８に示すように、ポケット３の内側の上端部には帯状体３３が縫合され、帯状体３３にナスカン１３（係合部材）が取り付けられている。かばん本体５の上端部には帯状体３３が縫合され、帯状体３３にＤカン３５（被係合部材）が取り付けられている。これらのナスカン１３とＤカン３５とは互いに係合可能に構成されている。
【００３０】
第２実施形態に係るかばん２０１においても、第１実施形態のように、かばん本体５の下部は折り畳み可能な高さ可変部１９を有する。従って、まず、図７および図８の状態では、かばん本体５がポケット３の内方に収容されており、高さ可変部１９も三重に折り畳まれている。よって、高さ可変部１９が折り畳み状態になっている。
【００３１】
そして、ポケット３のナスカン１３（係合部材）をかばん本体５のＤカン３５（被係合部材）から取り外す。その後に、図９に示すように、かばん本体５をポケット３から上側に引き出したときには、高さ可変部１９が折り畳み状態から伸び状態になる。
【００３２】
以下に、第２実施形態による作用効果を説明する。
第２実施形態のかばん２０１では、かばん本体５は通常時には上部がファスナー２０３で閉じられおり、荷物等を収納するときにのみファスナー２０３を開けて開口させる。従って、かばん２０１を落としたときなどに、かばん２０１の内部に収納されている荷物等がかばん２０１から出てしまうことを抑制することができる。
【００３３】
[第３実施形態]
次に、第３実施形態について説明するが、前述した第１〜第２実施形態と同一構造の部位には同一符号を付けて説明を省略する。
【００３４】
図１０，１１に示すように、第３実施形態に係るかばん３０１は正面視が横長の矩形状に形成されている。また、ポケット３０７の上部には、取っ手となる横長の開口部３０３が形成されている。なお、ポケット３０７の上部開口はファスナー３０５によって開閉可能に構成されている。図１０では、ポケット３０７の上部開口は閉じた状態である。また、かばん本体３０９の上部には、ハンドル６が取り付けられている。かばん本体３０９の下部には、高さ可変部１９が設けられている。図１０の状態では、かばん本体３０９の高さ可変部１９が折り畳まれて、かばん本体３０９の全体がポケット３０７の内方に収容されている。
【００３５】
そして、前述した第１〜第２実施形態では、かばん本体３０９をポケット３０７の内方に収容したときに、ポケット３０７の係合部材とかばん本体３０９の被係合部材とが互いに係合する構成になっている。これに対して、第３実施形態では、ポケット３０７の係合部材およびかばん本体３０９の被係合部材がない。
【００３６】
さらに、図１２に示すように、かばん本体３０９をポケット３０７の内方に収容したまま、かばん本体３０９のハンドル６がポケット３０７の開口部３０３から抜け出るように構成している。
【００３７】
そして、図１３に示すように、かばん本体３０９のハンドルをポケット３０７の開口部３０３から外し、かばん本体３０９をポケット３０７から上側に引き出したときには、高さ可変部１９が折り畳み状態から伸び状態になる。
【００３８】
以下に、第３実施形態による作用効果を説明する。
第３実施形態では、図１２に示すように、かばん本体３０９をポケット３０７の内方に収容したまま、かばん本体３０９のハンドル６がポケット３０７の開口部３０３から抜け出るように構成している。従って、図１１のように、ポケット３０７の開口部３０３を取っ手として使用することができると同時に、かばん本体３０９のハンドル６を取っ手にすることもできる。
【００３９】
なお、本発明は、前述した実施形態に限定されることなく、本発明の趣旨に基づいて種々の変更および変形したものも本発明に含まれる。
例えば、第１〜第３実施形態ではかばんについて説明したが、本発明は、かばんの用途に限定されることなく、袋状体のもの全てに適用することができる。
【００４０】
また、前述した第１実施形態では、かばん本体５を筒状に形成したが、本発明に係るかばん本体５は筒状に限定されずに袋状であってもよい。また、ポケット３の係合部材およびかばん本体５の被係合部材は、それぞれナスカン１３およびＤカン３５に限定されず、例えば、ホック、面ファスナーおよびボタン等、種々の係合部材を適用することができる。さらに、ポケット３とかばん本体５との結合方法も縫合に限定されずに例えば接着等であってもよい。
【符号の説明】
【００４１】
１，１０１，２０１，３０１  かばん
３，３０７  ポケット
５，３０９  かばん本体
１３  ナスカン（係合部材）
１７  ポケットの底部
１９  高さ可変部
２１  本体側結合部
３５  Ｄカン（被係合部材）
３０３  開口部
【図１】
2018175215.tif 000003
【図２】
2018175215.tif 000004
【図３】
2018175215.tif 000005
【図４】
2018175215.tif 000006
【図５】
2018175215.tif 000007
【図６】
2018175215.tif 000008
【図７】
2018175215.tif 000009
【図８】
2018175215.tif 000010
【図９】
2018175215.tif 000011
【図１０】
2018175215.tif 000012
【図１１】
2018175215.tif 000013
【図１２】
2018175215.tif 000014
【図１３】
2018175215.tif 000015
【手続補正書】
【提出日】平成30年6月6日(2018.6.6)
【手続補正１】
【補正対象書類名】特許請求の範囲
【補正対象項目名】全文
【補正方法】変更
【補正の内容】
【特許請求の範囲】
【請求項１】
袋状に形成されたポケットと、筒状または袋状に形成されると共に前記ポケットの内方に収納されたかばん本体と、を備え、
前記かばん本体の下部は、折り畳み可能な高さ可変部と、前記高さ可変部の下側に配置されて前記ポケットの底部に結合される本体側結合部と、からなるかばんであって、
前記かばん本体は、前記高さ可変部が折り畳まれて前記ポケットの内方に収納可能に構成されており、
前記かばん本体をポケットから上側に引き出したときに、前記高さ可変部が折り畳み状態から伸び状態になるように構成し、
前記ポケットには、取っ手となる開口部を形成し、
前記かばん本体には、ハンドルを取り付け、
前記かばん本体をポケットの内方に収納したときに、前記かばん本体のハンドルが前記ポケットの開口部から抜け出るように構成し、かつ、
前記かばん本体をポケットの内方に収納したときに、前記かばん本体のハンドルを前記ポケットの開口部から抜け出させないで当該かばん本体内に収納し、前記ポケットの開口部を取っ手として使用し、あるいは、
前記かばん本体をポケットの内方に収納したときに、前記かばん本体のハンドルを前記ポケットの開口部から抜け出させて取っ手として使用するようにしたことを特徴とするかばん。
【手続補正２】
【補正対象書類名】明細書
【補正対象項目名】０００７
【補正方法】変更
【補正の内容】
【０００７】
本発明に係るかばんは、袋状に形成されたポケットと、筒状または袋状に形成されると共に前記ポケットの内方に収納されたかばん本体と、を備える。前記かばん本体の下部は、折り畳み可能な高さ可変部と、前記高さ可変部の下側に配置されて前記ポケットの底部に結合される本体側結合部と、からなる。前記かばん本体は、前記高さ可変部が折り畳まれて前記ポケットの内方に収納可能に構成されており、前記かばん本体をポケットから上側に引き出したときに、前記高さ可変部が折り畳み状態から伸び状態になるように構成した。そして前記ポケットには、取っ手となる開口部を形成し、前記かばん本体には、ハンドルを取り付け、前記かばん本体をポケットの内方に収納したときに、前記かばん本体のハンドルが前記ポケットの開口部から抜け出るように構成し、かつ、前記かばん本体をポケットの内方に収納したときに、前記かばん本体のハンドルを前記ポケットの開口部から抜け出させないで当該かばん本体内に収納し、前記ポケットの開口部を取っ手として使用し、あるいは、前記かばん本体をポケットの内方に収納したときに、前記かばん本体のハンドルを前記ポケットの開口部から抜け出させて取っ手として使用するようにした。
【手続補正３】
【補正対象書類名】明細書
【補正対象項目名】０００８
【補正方法】変更
【補正の内容】
【０００８】
本発明に係るかばんによれば、一つのかばんで収納容積を段階的に変えることができるため、収納対象物の大きさに応じて複数のかばんを準備する必要がなくなる。加えて、かばん本体をポケットの内方に収容したまま、かばん本体のハンドルがポケットの開口部から抜け出るように構成しているため、ポケットの開口部を取っ手として使用することができると同時に、かばん本体のハンドルを取っ手にすることもできる。